(57)【要約】      （修正有）【課題】夜間のメラトニンの分泌抑制を防止しつつ、光の色を良好に保つことのできる光フィルタ及びそれに用いる照明装置を提供する。【解決手段】光フィルタは波長480〜505nmの平均光線透過率を略30%以下とする。光フィルタは、少なくとも透光性樹脂と橙色系蛍光着色材料とを含む樹脂組成物を成形してなるもので、透光性樹脂100重量部に対し、橙色系蛍光着色材料略0.005〜0.2重量部配合した樹脂組成物を成形してなる。これにより、夜間のメラトニンの分泌抑制を防止することができる。また光の色を良好に保つことのできる。さらに光フィルタを照明装置に適用することができる。【選択図】なし【特許請求の範囲】
【請求項１】
波長略480〜505nmまでの波長域の平均光線透過率が略30%以下であることを特徴とする光フィルタ。
【請求項２】
波長略430〜445nmの波長域の平均光線透過率が略50％以下であり、かつ波長略530〜565nmの平均光線透過率が略45%以上75%以下である請求項1記載の光フィルタ。
【請求項３】
透光性樹脂と橙色系蛍光着色材料とを含む樹脂組成物を成形してなる請求項1または請求項２記載の光フィルタ。
【請求項４】
前記透光性樹脂100重量部に対し、前記橙色系蛍光着色材料を略0.005〜0.2重量部配合した樹脂組成物を成形してなる請求項3記載の光フィルタ。
【請求項５】
前記透光性樹脂100重量部に対し、前記橙色系蛍光着色材料を略0.005〜0.2重量部、波長330〜400nmに吸収ピークを有する紫外線吸収剤を略0.25〜4重量部の配合量とした樹脂組成物を成形してなる請求項3記載の光フィルタ。
【請求項６】
前記透光性樹脂100重量部に対し、前記橙色系蛍光着色材料を略0.005〜0.2重量部、黄色系着色材料略0.005から0.01重量部の配合量とした樹脂組成物を成形してなる請求項3記載の光フィルタ。
【請求項７】
請求項1から請求項6のいずれか一項記載の光フィルタを有する照明装置。
【発明の詳細な説明】
【技術分野】
【０００１】
この発明は、光フィルタおよびそれを用いた照明装置に関するものである。
【背景技術】
【０００２】
従来より、夜間のとくに就寝前の時間帯においては、居住空間における照明光の色温度を低色温度（電球のような赤っぽい色光）とすることで、白色光、昼光色光と比べて脳の刺激を低減し、円滑な入眠を促すことが知られており、時刻や人の生体リズムに合わせて光色を変化させる技術が提案されている（例えば、特許文献1参照）。
【０００３】
上記に関連して、光の波長と生体リズム、睡眠との関係についての新たな知見が非特許文献１の論文にて報告されている。
【０００４】
上記文献においては、夜間の受光によるメラトニン分泌抑制の波長特性が明らかにされている。メラトニンとは、脳にある松果体から分泌されるホルモンであり、夜間の入眠前から睡眠前半の時間帯にかけて（個人差や生活リズムによって差があるが、午後１０時ごろから深夜にかけて）多く分泌され、体温の低下や入眠促進をうながすと考えられている。
【０００５】
このメラトニンは、夜間の受光によりその分泌が抑制されることが明らかにされており、上記文献では図1のような波長特性を示すアクションスペクトラムが報告されている。図1によると、メラトニン分泌抑制感度がピークとなる波長は４６４ｎｍであり、この波長近辺を極力カットすることにより、夜間のメラトニン分泌の抑制を避けることができることがわかる。
【０００６】
また、図2に示す各種光源の分光分布を見てもわかるように、屋内の照明空間において一般的に用いられる低色温度の光源、白熱ランプや電球色蛍光ランプなどにおいても、白色や昼光色蛍光灯に比べると上記波長成分は少なくなっているものの存在しており、メラトニン分泌抑制を引き起こすと考えられる（非特許文献２参照）。
【０００７】
上述までの知見をもとに、夜間の受光によるメラトニン分泌抑制によって睡眠を阻害せずに視覚情報の確保を実現する照明装置およびそれに用いる光源に関する技術が考案されている（例えば、特許文献2参照）。特許文献2では夜間のメラトニンの分泌抑制効果の高い波長略410〜505nmの波長域の光をカット、もしくは減衰させることを提案している。さらに、波長略400nm付近の光を付加、もしくは透過させることで照明としての色を良好に保ちながらメラトニンの分泌抑制を効果的に防止することを提案している。
【０００８】
さらに、日中、特に午前中に強い光を浴びることで生体リズムを調整する効果があることが知られているが、上述までの知見をもとに、逆に午前中に464nmを中心とする波長光を積極的に利用することにより、効果的に生体リズムを調整する方法が考案されている（特許文献３参照）。
【０００９】
このように、メラトニンの分泌を抑制しない光とするためには、メラトニンの分泌を抑制する波長を出さない光源を用いる他に、光フィルタを用いてメラトニンの分泌を抑制する波長をカット又は減衰させるという手法が考えられる。
【特許文献１】特開２０００−２５２０８４号公報
【特許文献２】特願2004-041545
【特許文献３】特願2004-128465
【非特許文献１】G.C.Brainard et al．(2001):“Action Spectrum for Melatonin Regulation in Humans：Evidence for a Novel Circadian Photoreceptor"，The Journal of Neuroscience,August１５，２００１，２１（１６），pp6405-6412
【非特許文献２】Sato M, Noguchi H, Morita T (2004): The Effects of Light with Different Spectral Distribution During the Nigh-time on Melatonin Secretion and Psychological Factors in Humans, CIE Expert Symposium on Light and Health abstract, 87-88（Sep 30 - Oct 2,2004,pp87-88）
【発明の開示】
【発明が解決しようとする課題】
【００１０】
上述のように、メラトニンが夜間の体温低下や入眠促進を促すことからすると、夜間の就寝前における上記の波長範囲を含む光の受光は、上質の睡眠をとるためには極力避けるべきであり、照明装置や光源での対処も必要である。
【００１１】
先に述べた通り、低色温度（電球色）の照明空間の構成が提案されているが、屋内の照明空間において一般的に用いられる光源、白熱ランプや電球色蛍光ランプなどにおいても、上述の通りメラトニン分泌抑制を引き起こしてしまう。
【００１２】
理想的には、上記波長範囲における出力をゼロに近づけることが望ましいが、白熱ランプのフィラメントから出力される光には、上記波長帯域の出力が含まれており、蛍光ランプにおいては、蛍光体の選択により、出力波長構成をデザインすることができるものの、上記波長帯域に水銀の発光ピークが含まれるため、これらの光源レベルでの対応、すなわち上記波長帯域における光出力の低減には限界がある。
【００１３】
また、この波長領域をほぼカットした光源がないわけではなく、低圧ナトリウムランプや赤色やオレンジ色のLEDなどが例としてあげられるが、これらのランプは演色性が非常に低く、一般的に屋内照明用の光源としてはふさわしくない。
【００１４】
照明光としての色が自然に見えるには、まずは、色度図上で黒体放射軌跡上、もしくはその近傍にその照明光の色度座標がある必要がある。この黒体放射軌跡からの偏差はDuvによってあらわされ、Duvが正の値であると、その光が緑がかって見え、負の値であると赤紫がかって見えるといわれている。理想的にはDuvはできるだけ小さい値であることが望ましい。さらに、照明光として良好であるためには、この照明の色みをあらわす(相関)色温度、その光によって照らされた物体の色の見え方の評価指数である平均演色評価指数等があり、光として良好な色であるということは少なくともこれら3つの評価指数が良好であるということである。
【００１５】
つまり、自然な照明の色とは各波長成分をバランスよく含み、黒体放射軌跡上、もしくはその近傍にある色ということである。図3にxy色度図と黒体放射軌跡を示す。図3には図2で示した各種光源の色度座標も示してある。図3より、屋内の照明空間において一般的に用いられる光源は黒体放射軌跡上、もしくはその近傍にあることがわかる。
【００１６】
しかし、夜間のメラトニンの分泌を抑制しないように464nm付近の波長をできるだけ低減しようとすると青色成分である短波長側の光を低減なければならず、自然な照明の色としてのバランスをくずし、結果として低圧ナトリウムランプや赤色やオレンジ色のLEDなど一般の居住環境での照明の色としては不適格なものになってしまう。
【００１７】
図3に示したxy色度図であらわされるようなxy色度座標は三刺激値XYZから求められる。すべての色はこの三刺激値XYZで表現することができ、三刺激値は3つの等色関数x (λ)、y (λ)、z (λ)をもとに求められる。図4にこれら等色関数を示す。等色関数のうち、概ね、x(λ)は赤色を、y(λ)は緑色を、z(λ)は青色をあらわしているといえる。例えば、ある照明光S(λ)の三刺激値Xを求めるには、x(λ)×S(λ)を可視光の波長領域にわたって積分した値をもとに求めることができる。三刺激値Y、Zも同様であり、また図1に示したアクションスペクトラムも等色関数と同様の使い方をする。
【００１８】
これら三つの等色関数のうちz(λ)と図1に示したアクションスペクトラムの大部分が重なっているために、メラトニンの分泌抑制を防止しようと464nmの波長域付近の光を低減すると、同時に青色味が失われ、照明としての色が不自然なものとなってしまう。
【００１９】
そこで、特許文献２（特願2004-041545）では、比較的メラトニン分泌抑制効率の高い波長410〜505nmの波長光をカット、もしくは減衰し、メラトニンの分泌抑制効率の低い略４００ｎｍ前後の波長光を出力する光源を付加することで青色味を加え、照明の色味を改善するとしている。
【００２０】
しかし、図1及び図4を見てわかるように400nm付近は、メラトニンの分泌抑制効率も低いが、同時に、等色関数x(λ)、y(λ)、z(λ)いずれの関数の効率も低く、色の改善はあまり期待できないことがわかる。つまり、反対に、略４００ｎｍ前後の波長光を付加することで照明の色として自然に見えるためには、略４００ｎｍ前後の波長光が多量に必要となり、もともとはメラトニン分泌抑制の効率が低いこの波長域の光でも多量に付加した結果、結局、夜間のメラトニンの分泌を抑制してしまうという問題がある。
【００２１】
略４００ｎｍ前後の波長光を付加する代わりに、光フィルタにより波長略410から505nm間での光をカットし、380から410nmまでの光をほぼ透過させたときも同様である。つまり、波長380から410nmまでの光は色としては青色であるが、効率が低いために色を改善する効果はあまり期待できない。
【００２２】
図5は４１０ｎｍから５０５ｎｍの波長域を含む領域をカットもしくは減衰させる光フィルタの分光透過率の例である。図6は図5において示した各種光フィルタを図2で示した光源のうち、電球色蛍光灯と白熱灯の光を透過させたときのそれぞれの色度座標を示している。図5の光フィルタのうち、特に光フィルタＢは410〜505nmでの透過率が低く、380〜410nmでの透過率が比較的高い。しかし、図6を見ると、光フィルタＢであっても黒体放射軌跡からずれてしまっている、つまりDuvが大きくなっていることがわかる。
【００２３】
光フィルタの種類としては、一般に、着色樹脂材料を用いた板状成形体や、フィルム状のものや、ガラス基材に光学多層膜を形成したものなどがある。
ガラス基材に光学多層膜を形成した光フィルタは、膜設計によって特定波長の光を透過させたりカットしたりすることが可能である。しかしながら、光学多層膜による光フィルタは光の入射角によりその透過波長域がシフトしてしまうという特性をもつ。そのため例えばレーザー光向けノッチ光フィルタのような光フィルタの場合、許容入射角が0度±0.5度といったように非常に狭い入射角でしか使えず、レーザー光のような光がほぼ一方向であるような特定の光源でしか使えないという欠点を持つ。また、ガラス基材の場合、樹脂などに比べて任意の形状に成形し難く、また、光学多層膜を形成するのに多くの製造工程が必要となるためにコストが高くなってしまい用途が制約されるという問題があった。
【００２４】
一方、着色樹脂材料を用いた板状あるいはフィルム状の成形体の場合は、ガラス基材に光学多層膜を形成したものと比べて、形状面、コスト面で優位ではあるが、光学多層膜で可能な波長パス／カット領域やレベルコントロールの実現は通常困難であった。着色する成分やその他の添加剤をうまく組み合わせて、光学特性をある程度コントロールすることは可能であるが、複数の波長域の光を比較的シャープにカットあるいはパスさせることは困難とされていた。
【００２５】
例えば、ある波長域の光を吸収し、蛍光発光するような蛍光着色材料を配合した透光性の樹脂材料があるが、これは、蛍光発光した光が成形体の端面に集光され、美しく発光しているように見えるという特性をもつため、従来、光フィルタのような光をパス／カットさせるような用途ではなく、例えばパチンコ台や、ネームプレート、積み木、商品展示棚、自作用パソコンケースなどに代表される意匠用途に用いられてきた。
【００２６】
この発明の目的は、上記問題点に鑑みてなされたものであり、夜間の受光によるメラトニン分泌抑制を防止することによって睡眠を阻害せずにかつ照明光としての色を良好に保つことを実現する光フィルタおよびそれを用いた照明装置を提供することである。
【課題を解決するための手段】
【００２７】
上記課題を解決するために、この発明の請求項１記載の光フィルタは波長略480〜505nmまでの波長域の平均光線透過率が略30%以下である。
【００２８】
特許文献２（特願2004-041545）のようにメラトニンの分泌抑制を防止することに主眼を置き、波長略464nm付近の光を減衰させると、前述のように光の色を良好に保つことが難しい。そこで、図1及び図4より、等色関数への影響が小さく、かつメラトニンの抑制効率の高い480〜505nmまでの波長域の平均透過率が略30%以下とすることで上記問題を解決する。
【００２９】
図7〜図10にもともとメラトニンの抑制する波長成分の比較的少ない、低色温度で演色性の高いランプの、波長480〜505nmの透過率を100〜0%に変化させたときの色度座標の推移を示す。図7〜10から、いずれのランプのこの領域の透過率を変化させても黒体放射軌跡からのずれ（Duv）は変わらないことがわかる。
【００３０】
また、実際に、光源を電球色蛍光灯としたときに、各波長成分の透過率を変化させ、Duvの絶対値が5以内、となるように各波長域の透過率を変化させた場合のメラトニンの抑制照度効率を計算した。ここで、メラトニンの抑制照度効率とは、図1のアクションスペクトラムをB(λ)とし、標準視感効率をV(λ)、光フィルタを通した透過光の分光分布をS (λ)、もとの光源（この場合は電球色蛍光灯）の分光分布をSwhite(λ)として、メラトニン抑制照度効率ｍとして以下のように算出した。
【００３１】
【数１】
2006259079.tif 000002
この式によるメラトニン抑制照度効率mは、もとの光源において、E[lx]でメラトニンを抑制したとすると、E/m [lx]必要であるということである。本発明の目的のひとつはメラトニンの抑制を防止することであるから、1より小さく、望ましくは0に限りなく近いほうが良いことになる。
【００３２】
図11に光源を電球色蛍光灯としたときに、各波長成分の透過率を変化させ、Duvの絶対値が5以内、色温度2600K以上、同一照度でのメラトニンの抑制照度効率が1/2以下となる透過率を、図12にDuvの絶対値が5以内、色温度2000K以上、同一照度でのメラトニンの抑制効率が1/3以下となる透過率を示す。図11及び図12から、照明としての色を良好に保ちつつ、メラトニン分泌抑制を緩和させるためには、少なくとも波長略480〜505nmまでの波長域の平均透過率を略30%以下とする必要があることがわかる。
【００３３】
以上のことから、夜間のメラトニンの抑制効率が比較的高い波長略480〜505nmまでの波長域の平均透過率が略30%以下とすることで、光の色として良好な色を保ちつつ、メラトニン分泌抑制を緩和させるという効果がある。そのため、メラトニンが多く分泌され、体温低下や入眠を促すことができる。
【００３４】
請求項2記載の光フィルタは請求項1記載の光フィルタにおいて、波長略430〜445nmの波長域の平均透過率が略50％以下であり、かつ波長略530〜565nmの平均透過率が略45%以上75%以下である。
【００３５】
低色温度で演色性の高いランプの中で、蛍光灯や無電極蛍光灯のように水銀と蛍光体により発光する種類のランプは、図2からもわかるように波長略435nm付近に水銀固有の発光スペクトルを持つ。この水銀固有の発光は図1からメラトニンの分泌抑制の効果が高いことがわかる。図13に、図2に示した電球色蛍光灯の分光分布に、図1及び図4に示したメラトニン抑制のアクションスペクトラムおよび等色関数を掛け合わせた相対強度を示す。
【００３６】
図13から、波長略430〜445nmの領域における光が、波長略480〜505nmの領域と同等にメラトニンの抑制効果が高いことがわかる。しかし、波長略480〜505nmの領域の光とは異なり、この領域は同時に等色関数のｚ(λ)への寄与も大きいことがわかる。
【００３７】
図11から、同一照度でのメラトニンの抑制効果をある程度減少させる（図11の例ではもとの電球色蛍光灯のメラトニン抑制効率の1/2まで）には波長略430〜445nmの光を必ずしも減少させる必要は生じないが、図12から、よりメラトニンの抑制を防止させる（図12の例ではもとの電球色蛍光灯のメラトニン抑制効率の1/3以上）ためには波長略430〜445nmの光を50%以下にする必要があることがわかる。
【００３８】
しかし、波長430〜445nmの波長域の光を減少させると等色関数のｚ(λ)への寄与も大きいことから、光の色を良好に保つことができない。図14に電球色蛍光灯の波長430〜445nmの波長域のエネルギーを減衰させたときの色度座標の推移を示す。図14からこの領域のエネルギーを減少させると光の色が緑がかって、黒体放射軌跡から離れていってしまう（Duvであらわすと正の方向）ことがわかる。そこで、緑成分、つまり等色関数ｙ(λ)への寄与を減らして光の色を黒体放射軌跡に近づけるために、ｙ(λ)への寄与の大きい波長略530〜565nmの領域の光を減少させることで、波長略430〜445nmの光を減少させたときでも光の色を黒体放射軌跡に近い、自然な色とすることができる。図15に図2の電球色蛍光灯の波長530〜565nmの波長域のエネルギーを減衰させたときの色度座標の推移を示す。図15から、波長530〜565nmの波長域のエネルギーを減衰させると、430〜445nmの光を減少させたときとは黒体放射軌跡から反対方向（Duvであらわすと負の方向）に色度座標が推移することがわかる。
【００３９】
そこで、図16に電球色蛍光灯の波長430〜445nmの透過率を50%以下としたときに、Duvの絶対値が5以下となるように波長530〜565nmの透過率を変化させたときの関係を示す。図16からメラトニンの抑制をより防止するために、波長430〜445nmの透過率を50%以下としたときには、少なくとも波長530〜565nmの透過率を略45％以上略75％以下にすれば波長430〜445nmの透過率の低下によりDuvの値が大きくなりすぎてしまうことを防ぐことができ、光の色を良好に保つことができる。
【００４０】
以上のことから、低色温度で演色性の高いランプの中で、蛍光灯や無電極蛍光灯のように水銀と蛍光体により発光する種類のランプにおいては、波長430〜445nmの透過率を50%以下としたときには、少なくとも波長530〜565nmの透過率を略45％以上略75％以下にすることで、光の色として良好な色を保ちつつ、メラトニン分泌抑制をより緩和させるという効果がある。そのため、メラトニンが多く分泌され、体温低下や入眠を促すことができる。
【００４１】
請求項3記載の光フィルタは、請求項1及び2に記載の光フィルタを実現するために、(a)透光性樹脂と(b)橙色系蛍光着色材料とを含む樹脂組成物を成形してなる光フィルタである。
【００４２】
請求項4記載の光フィルタは、請求項3記載の光フィルタにおいて、(a)透光性樹脂100重量部に対し、(b)橙色系蛍光着色材料略0.005〜0.2重量部配合した樹脂組成物を成形してなる。
【００４３】
請求項5記載の光フィルタは、請求項3記載の光フィルタを実現するために、(a)透光性樹脂100重量部に対し、(b)橙色系蛍光着色材料を略0.005〜0.2重量部、(c)波長330〜400nmに吸収ピークを有する紫外線吸収剤を略0.25〜4重量部の配合量とした樹脂組成物を成形してなる。
【００４４】
これは、図1及び図4から、等色関数への影響度がほとんどない波長略410nm以下の透過率を低減させることで、光の色を良好に保ちつつ、メラトニンの抑制をより防止することを目的としている。
【００４５】
請求項6記載の光フィルタは、請求項3記載の光フィルタにおいて、(a)透光性樹脂100重量部に対し、(b)橙色系蛍光着色材料を略0.005〜0.2重量部、(d)黄色系着色材料略0.005から0.01重量部の配合量とした樹脂組成物を成形してなる。
【００４６】
請求項7記載の照明器具は、請求項1から請求項6のいずれか一項に記載の光フィルタを有する。
【発明の効果】
【００４７】
この発明の請求項１記載の光フィルタによれば、図1及び図4より、等色関数xyzのいずれへの影響が小さく、かつ夜間のメラトニンの抑制効率が高い波長略480〜505nmまでの波長域の平均透過率が略30%以下とすることで、光の色として良好な色を保ちつつ、メラトニン分泌抑制を緩和させるという効果がある。そのため、メラトニンが多く分泌され、体温低下や入眠を促すことができる。
【００４８】
また、低色温度で演色性の高いランプの中で、蛍光灯や無電極蛍光灯のように水銀と蛍光体により発光する種類のランプは、図2からもわかるように波長略435nm付近に水銀固有の発光スペクトルを持つ。この水銀固有の発光は図13からメラトニンの分泌抑制の効果が高いことがわかる。しかし、同時にこの波長域は図4より等色関数z(λ)への寄与も大きいため、この波長域の透過率を低減させると、Duvが大きくなってしまい、照明の色を良好に保つことができなくなる。
【００４９】
そこで、この発明の請求項2記載の光フィルタによれば、請求項1記載の光フィルタにおいて、波長略430〜445nmの波長域の平均透過率が略50％以下であり、かつ波長略530〜565nmの平均透過率が略45%以上75%以下とすることで、光の色として良好な色を保ちつつ、さらにメラトニン分泌抑制を緩和させるという効果がある。そのため、メラトニンが多く分泌され、体温低下や入眠を促すことができる。
【００５０】
さて、上述までのような光フィルタを実現する手段として、請求項3記載の光フィルタによれば、(a)透光性樹脂と(b)橙色系蛍光着色材料とを含む樹脂組成物を成形することで、請求項1及び２記載の光フィルタを実現することができる。
【００５１】
請求項4記載の光フィルタによれば、(a)透光性樹脂100重量部に対し、(b)橙色系蛍光着色材料略0.005〜0.2重量部配合した樹脂組成物を成形することで、請求項1及び２記載の光フィルタを実現することができる。
【００５２】
請求項5記載の光フィルタによれば、(a)透光性樹脂100重量部に対し、(b)橙色系蛍光着色材料を略0.005〜0.2重量部、(c)波長330〜400nmに吸収ピークを有する紫外線吸収剤を略0.25〜4重量部の配合量とした樹脂組成物を成形することで、請求項3記載の光フィルタを実現することができ、さらに光の色をほとんど変化させることなく請求項4記載の光フィルタよりもさらにメラトニンの抑制を防止することができる。
【００５３】
請求項6記載の光フィルタによれば、(a)透光性樹脂100重量部に対し、(b)橙色系蛍光着色材料を略0.005〜0.2重量部、(d)黄色系着色材料略0.005から0.01重量部の配合量とした樹脂組成物を成形することで、２記載の光フィルタをより容易に実現することができる。
【００５４】
請求項7記載の照明装置によれば、請求項１〜6記載の光フィルタの一項に記載の光フィルタを有することで、夜間においてメラトニンが多く分泌され、体温低下や入眠を促すことができる。
【発明を実施するための最良の形態】
【００５５】
本実施形態で用いる光フィルタのうち、請求項1による光フィルタは、図17に示すような分光特性を有する透光性材料により構成されている。この光フィルタは、光源からの出力に対応した分光成分のうちの少なくとも光によるメラトニン分泌抑制効率が比較的よく、かつ光の色への影響の少ない４8０ｎｍから５０５ｎｍまでの平均透過率が略30%以下のものである。その波長領域の透過率はゼロに近い方が望ましいが、メラトニン分泌抑制、生体リズムへの光の作用の大きさは、受光強度×受光時間の積分値により決まると考えられているため、平均透過率が略30%以下であれば有意義であると考えられる。また、光の色を良好に保つために、他の可視光領域での波長の透過率はできるだけ高いことが望ましいが、光の色が良好に保てるのであれば必ずしも他の波長域の透過率は略100%である必要はない。
【００５６】
図18に透光性樹脂と橙色系蛍光着色材料によって構成された光フィルタの透過率の例を示す。図18から上記のような構成にすることにより、波長480〜505nm付近の透過率を効果的に低減できていることがわかる。
【００５７】
本実施形態で用いる光フィルタのうち、請求項2による光フィルタは、図19に示すような分光特性を有する透光性材料により構成されている。この光フィルタは、上述の分光特性に加えて、光源からの出力に対応した分光成分のうちの少なくとも４3０ｎｍから445ｎｍまでの平均透過率が略50%以下であり、かつ波長略530〜565nmの平均透過率が略45%以上75%以下であるものである。また、光の色への影響を避けるために、他の可視光領域での波長の透過率はできるだけ高いことが望ましいが、光の色が良好に保てるのであれば必ずしも他の波長域の透過率は略100%となる必要はない。さらに、波長略530〜565nmの平均透過率は光の色を良好に保つ目的であれば必ずしも上記透過率の範囲にある必要はない。例えば、波長略450nm〜480nmの領域の透過率が低い場合、波長略４3０ｎｍから445ｎｍの透過率を低減させた場合と同様に光の色が緑がかってしまうがこのような場合は、光の色を良好に保つ目的で波長略530〜565nmの平均透過率をもう少し下げるような措置をとっても良い。ただし、この例のように波長略450nm〜480nmの領域の透過率を低下させても、メラトニンの抑制は防止することはできるかもしれないが、等色関数ｚ(λ)への影響も大きいのでこの領域の透過率をあまり低減させる事は好ましくない。
【００５８】
図20に透光性樹脂と橙色系蛍光着色材料と黄色系着色材料によって構成された光フィルタの透過率の例を示す。図20から上記のような構成にすることにより、波長480〜505nm付近の透過率を効果的に低減できる。さらに、橙色系蛍光着色材料の配合量を増減させるだけでは、４3０ｎｍから445ｎｍまでの平均透過率を低下させると、同時に波長略530〜565nmの平均透過率がも低下してしまうため、４3０ｎｍから445ｎｍまでの平均透過率が略50%以下にしつつ、かつ波長略530〜565nmの平均透過率が略45%以上75%以下とするといったようなバランスをとることが難しい。そこで、橙色系蛍光着色材料による波長略530〜565nmの波長域の平均透過率に応じて、黄色系着色材料によって、430〜445nmの波長域の平均透過率をコントロールすることで、この透過率のバランスをとることができ、透光性樹脂と橙色系蛍光着色材料のみで構成した場合よりもさらにメラトニンの抑制を防止することができる。
【００５９】
本発明の光フィルタを構成する材料として、（ａ）透光性樹脂と、（ｂ）橙色系蛍光着色材料とを含む樹脂組成物を用いることができる。
【００６０】
本発明の光フィルタを構成する樹脂組成物における、（ａ）成分である透光性樹脂とは、透光性を有する樹脂であれば特に限定されず公知のものを使用することができる。
【００６１】
（ａ）成分の具体例としては、アクリル系樹脂、ポリスチレン樹脂、ＡＳ樹脂、塩化ビニル樹脂、ＭＳ樹脂、ポリカーボネート樹脂、非晶性ポリオレフィン樹脂、ＡＡＳ樹脂、ＡＥＳ樹脂、ABS樹脂、ポリエチレンテレフタレート樹脂、ポリアリレート樹脂、ポリサルフォン樹脂、ポリエーテルサルフォン樹脂、ポリエーテルイミド樹脂、ポリプロピレン樹脂、ポリエチレン系樹脂、ポリアミド樹脂、EVA樹脂、ポリ乳酸、シリコン樹脂、フッ素樹脂、ウレタン樹脂、不飽和ポリエステル樹脂等が挙げられ、これらを単独又は２種以上組み合わせて用いてもよい。中でもアクリル系樹脂は透光性、耐候性に優れ、幅広い用途展開が可能であるために本発明において好ましい透光性樹脂としてあげることができる。  （ａ）成分として使用できる市販のアクリル系樹脂の一例として、アクリペットＶＨ（三菱レイヨン株式会社製）が挙げられる。
【００６２】
（ｂ）成分である橙色系蛍光着色材料としては、吸収極大波長が通常５１５〜５６０ｎｍ程度である蛍光染料を用いることができる。橙色蛍光染料は、他に４７０〜５１０ｎｍ程度の波長域及び４４０〜４７０ｎｍ程度の波長域に吸収を有するものであってもよく、これらを単独又は２種以上組み合わせて用いてもよい。
【００６３】
（ｂ）成分の具体例としては、公知の蛍光着色材料を制限なく使用できるが、ペリレン系化合物を使用することが好ましい。
【００６４】
（ｂ）成分として使用できる市販の橙色系蛍光着色材料の一例として、プラストオレンジ８１６０（有本化学工業株式会社製）が挙げられる。
【００６５】
また、（ａ）成分と（ｂ）成分の配合割合は、（ａ）成分１００重量部に対し、（ｂ）成分略0.005〜0.2重量部にすることが好ましい。（ｂ）成分が過少の場合、光フィルタの波長略４８０〜５０５ｎｍの平均光線透過率が略30％を超えてしまい、光色を良好に保ちながらメラトニンの抑制を防止することができなくなる。（ｂ）成分が過多の場合、光フィルタの波長略４８０〜５０５ｎｍ以外の光線透過率が大きく低下し、ランプ点灯時に光フィルタを透過した光の色温度がＪＩＳＺ８７２５付表1及び2に記載されている色温度範囲を超えてしまうほど低くなるので好ましくない。
【００６６】
また、照明の色に影響を与えず、よりメラトニンの抑制を防止する光フィルタ用材料の具体例として、(ａ)透光性樹脂に(ｂ)橙色系蛍光着色材料及び(ｃ)波長３３０〜４００ｎｍに吸収ピークを有する紫外線吸収剤を配合した樹脂組成物が挙げられる。      
【００６７】
ここで、（ａ）成分と（ｂ）成分及び（ｃ）成分の配合割合は、（ａ）成分１００重量部に対し、（ｂ）成分略0.005〜0.2重量部、（ｃ）成分略０．２５〜４重量部とすることが好ましい。（ｂ）成分が過少の場合、光フィルタの波長略４８０〜５０５ｎｍの平均光線透過率が略30％を超えてしまい、光色を良好に保ちながらメラトニンの抑制を防止することができなくなる。（ｂ）成分が過多の場合、光フィルタの波長略４８０〜５０５ｎｍ以外の光線透過率が大きく低下し、ランプ点灯時に光フィルタを透過した光の色温度がＪＩＳＺ８７２５付表1及び2に記載されている色温度範囲を超えてしまうほど低くなるので好ましくない。一方、（ｃ）成分が過少の場合、照明の色に影響を与えず、メラトニンの抑制防止効果がある波長略４１０ｎｍ以下の透過率を下げることができない。（ｃ）成分が過多の場合、メラトニンの抑制防止効果はあるが、波長略４１０ｎｍ以上の透過率も下げてしまうため、光フィルタを透過した光の色を良好に保つことができなくなるので好ましくない。
【００６８】
（ｃ）成分である波長３３０〜４００ｎｍに吸収ピークを有する紫外線吸収剤の種類としては、ベンゾトリアゾール系、ベンゾフェノン系、トリアジン系などが挙げられる。これらの化合物としては、公知のものを制限なく使用できるが、４１０ｎｍ以下の波長を効率よく吸収するという観点からクロロベンゾトリアゾール系またはヒドロキシベンゾフェノン系が好ましい。これらの具体例としては、２−（２′−ヒドロキシ−３′−ｔ−ブチル−５′−メチルフェニル）−５−クロロベンゾトリアゾール、２−（２′−ヒドロキシ−３′，５′−ジ−ｔ−ブチルフェニル）−５−クロロベンゾトリアゾール、２−（２′−ヒドロキシ−４′−オクトキシフェニル）ベンゾトリアゾール、２，２′−ジヒドロキシ−４−メトキシベンゾフェノンあるいは、２，２′−ジヒドロキシ−４，４′−ジメトキシベンゾフェノン、２，２′，４，４′−テトラヒドロキシ−ベンゾフェノンが挙げられ、これらは単独又は２種以上を組み合わせて用いてもよい。
【００６９】
（ｃ）成分として使用できる市販のクロロベンゾトリアゾール系紫外線吸収剤の一例として、チヌビン３２６（チバ・スペシャルティ・ケミカルズ株式会社製）が挙げられる。また、ヒドロキシベンゾフェノン系紫外線吸収剤の一例として、ユビナール３０５０（ビーエーエスエフジャパン株式会社製）が挙げられる。
【００７０】
また、照明の色に影響を与えず、よりメラトニンの抑制を防止する光フィルタ用材料の具体例として、(ａ)透光性樹脂に(ｂ)橙色系蛍光着色材料及び(ｄ)黄色系着色材料を配合した樹脂組成物が挙げられる。
【００７１】
ここで、（ａ）成分と（ｂ）成分及び（ｄ）成分の配合割合は、（ａ）成分１００重量部に対し、（ｂ）成分略0.005〜0.2重量部、（ｄ）成分略０．００５〜０．０１重量部とすることが好ましい。（ｂ）成分が過少の場合、光フィルタの波長略４８０〜５０５ｎｍの平均光線透過率が略30％を超えてしまい、光色を良好に保ちながらメラトニンの抑制を防止することができなくなる。（ｂ）成分が過多の場合、光フィルタの波長略４８０〜５０５ｎｍ以外の光線透過率が大きく低下し、ランプ点灯時に光フィルタを透過した光の色温度がＪＩＳＺ８７２５付表1及び2に記載されている色温度範囲を超えてしまうほど低くなるので好ましくない。一方、（ｄ）成分が過少の場合、波長略４３０〜４４５ｎｍの平均光線透過率が略５０％を超えてしまうので、光の色を良好に保ちながらメラトニンの抑制を防止する効果が得られなくなる。（ｄ）成分が過多の場合、メラトニンの抑制防止効果はあるが、波長略４３０〜４４５ｎｍの平均光線透過率と波長略５３０〜５６５ｎｍの平均光線透過率とのバランスが崩れてしまい、光フィルタを透過した光の色を良好に保つことができなくなるので好ましくない。
【００７２】
（ｄ）成分である黄色系着色材料としては、通常、有機顔料、無機顔料あるいは染料が用いられる。黄色無機顔料としては、カドミエロー、黄鉛、チタンエロー（ピグメントエロー５３）、クロムエロー（ピグメントブラウン２４）や黄色弁柄などがあり、黄色有機顔料としては縮合アゾ系化合物（ピグメントエロー９５）などがあり公知のものを使用できるが、４００〜４５０ｎｍの波長を効率よく吸収するという観点から縮合アゾ系化合物（ピグメントエロー９５）が好ましい。
【００７３】
（ｄ）成分として使用できる市販の黄色系着色材料の一例として、クロモフタルイエローＧＲ（チバ・スペシャルティ・ケミカルズ株式会社製）が挙げられる。
【００７４】
（ｂ）成分である橙色系蛍光着色材料、（ｃ）成分である波長３３０〜４００ｎｍに吸収ピークを有する紫外線吸収剤、（ｄ）成分である黄色系着色材料の濃度は、光フィルタの厚みと関係する。光フィルタの厚みが厚肉の場合は、（ｂ）、（ｃ）、（ｄ）成分の濃度を低くし、逆に、光フィルタの厚みを薄くする場合は、（ｂ）、（ｃ）、（ｄ）成分の濃度を高くすればよく、本発明の範囲であれば任意に設定することが可能である。
【００７５】
本発明の光フィルタに用いられる樹脂組成物には、必要に応じて、性能を損なわない範囲で、公知の方法で種々の公知の添加剤を含有させることができる。このような添加剤としては、染料・顔料等の着色剤；架橋スチレン系微粒子、架橋または高分子量アクリル系微粒子、架橋スチレン−アクリル系微粒子、架橋スチレン−ブタジエン系微粒子、架橋シリコーン微粒子、架橋シロキサン系微粒子、架橋ウレタン系微粒子、メラミン系重合体等の有機微粒子、炭酸カルシウム、フッ化カルシウム、フッ化カリウム、リン酸カルシウム、酸化亜鉛、硫酸マグネシウム、硫酸バリウム、酸化チタン、チタン酸カリウム、水酸化アルミニウム、水酸化マグネシウム、炭酸マグネシウム、アルミナ、マイカ、酸化セリウム、ステアリン酸マグネシウム、ステアリン酸リチウム、ステアリン酸カルシウム、ステアリン酸亜鉛、ステアリン酸バリウム、結晶形シリカ、不定形シリカ、ガラスフレーク、ガラス繊維、ガラスビーズ、クレー、タルク等の無機微粒子のような光拡散剤（これらの無機微粒子に表面処理を施したものもある）；顔料や光拡散剤の分散性を改善するための展着剤や分散剤；アクリル酸エステル・メタクリル酸エステル類を主成分とするコアシェル型グラフト構造を有するゴム状重合体等に代表される耐衝撃性改質剤；ヒンダードアミン、ヒンダードフェノール類、ベンゾエート類のような耐熱安定剤・耐候性改質剤；ベンゾトリアゾール類、ベンゾフェノン類、トリアジン類、マロン酸エステル類、サリシレート類、シアノアクリレート類、オギザニリド類のような紫外線吸収剤；リン酸エステルのような難燃剤；パルミチン酸、ステアリルアルコールのような滑剤；有機系及び無機系の抗菌剤；帯電防止剤、スリップ剤等が挙げられる。尚、これらは必要に応じて複数を併用することもできる。
【００７６】
本発明の光フィルタに用いられる樹脂組成物は、（ａ）成分である透光性樹脂と（ｂ）成分である橙色系蛍光着色材料とを充分に混練する（（ｃ）成分である波長３３０〜４００ｎｍに吸収ピークを有する紫外線吸収剤、（ｄ）成分である黄色系着色材料を配合する場合も同様に）などにより（ａ）成分中へ均一に分散させることで得られるが、（ａ）成分が固体の場合には通常ペレット状の形態で使用される。例えば、各成分の所定量をヘンシェルミキサー、タンブラー等の混合装置で機械的に混合し、一軸又はニ軸のスクリュー押出機、バンバリーミキサー等を用い、（ａ）成分が可塑化、流動する温度で十分に溶融混練し、その後造粒してペレット化する方法等の公知の一般的方法によって製造される。
【００７７】
本発明の光フィルタの成形方法は特に限定されない。成形方法としては、例えば、射出成形、押出成形、ブロー成形、インフレーション成形、カレンダー成形、圧縮成形、トランスファー成形、真空成形、圧空成形、ガラスキャスト法、連続キャスト法、注型法等があり、これらの成形方法を光フィルタのサイズ、形状、肉厚などに応じて適宜選択すればよい。
【００７８】
このような光フィルタは、各種用途に使用可能であり、例えばシーリングライト、ペンダント型ライト、流し元灯、浴室灯、シャンデリア、スタンド、ブラケット、行燈、ガレージライト、軒下灯、門柱灯、ポーチライト、ガーデンライト、エントランスライト、足元灯、階段灯、誘導灯、防犯灯、ダウンライト、ベースライト、電飾看板、サイン灯等用のカバー、自動車、自動二輪車等を初めとする車両用灯具向けのカバー等や、飛行機内や新幹線の車両内等に用いる照明器具のカバー等に用いることができる。また、照明器具以外の用途として、眼鏡やサングラスやゴーグル等のレンズ部分としてや、テレビやディスプレイの光フィルタとして用いることができる。
【００７９】
この発明の実施の形態を図21〜図30に基づいて説明する。なお、本発明は、以下の実施形態により限定的に解釈されるものではない。
【００８０】
本発明による光フィルタは、図21に示すように、光源１、光フィルタ２、反射板３、制御部および電源４などで構成された照明装置に用いることができる。光源１を挟み反射板３の略反対側の出光面に光フィルタ２を設定している。または、図2１（Ｂ）に示すように、反射板を有さず光源１の周囲を取り囲む出光面に光フィルタ２を設定する。光フィルタ２は平面もしくは曲面に形成される。請求項3〜6のように樹脂組成物により光フィルタを構成しても良いし、その他の手段で行っても良い。また光源については比較的色温度が低く（例えば略3000K以下）、色みの良いものであれば、蛍光灯、白熱灯、無電極蛍光灯、HIDランプなど特に限定はしない。
【００８１】
さらに、図22（A）〜（C）に示すように、光源１の出光部に配置された光フィルタ２を反射板３内部へ収納するようにしても良い。すなわち、反射板３に光フィルタ２を収納可能な光フィルタ収納部１０が形成されている。光フィルタ２の移動は手動もしくは、対象者の生体リズムに対応して自動で行われる。
【００８２】
また、図22（D）に示すように、光フィルタよりも外側に乳白色やプリズムのような拡散板１２を配置しても良い。
【００８３】
図23はスタンド型の器具に応用した例である。この図のようにフロアスタンドに光フィルタ２を取り付け、居間や寝室に設置して夜間のメラトニンの分泌を妨げずに必要な光を居室に供給しても良いし、学習スタンドに光フィルタ２を取り付けて夜間における作業や学習時に使用し、夜間のメラトニンの分泌は妨げずに作業や学習時に必要な光は供給するように使用しても良い。また、ベッドサイドのスタンドに光フィルタ２を取り付け、就寝前の読書灯等に使用しても良い。また図22で示したように、本発明による光フィルタ２を取り外し可能なようにしてもよいし、本発明による光フィルタ２のさらに外側に乳白色やプリズム12のような拡散板を配置してもよい。
【００８４】
図24はシーリング型照明器具のグローブとして光フィルタ２を取り付けた例である。このようなシーリング器具を居間や寝室に取り付けることにより、夜間のメラトニンの分泌を妨げずに必要な光を居室に供給することができる。すなわち、図24-Ａのようにグローブ部分を光フィルタ2としてもよい。また、図22で示したように、本発明による光フィルタ２を取り外し可能なようにしてもよいし、本発明による光フィルタ２のさらに外側に乳白色やプリズム12のような拡散板を配置してもよい。図24-Ｂのように光源1の周りに光フィルタ２を取り付け、グローブ13は別途設けてもよい。ランプは特に限定しないものとし、蛍光灯、無電極蛍光灯、白熱電球等を含む。電球色等の色温度の低い光源１でもよい。
【００８５】
図25は、 2つもしくはそれ以上の光源１４、１５を乳白または透明のグローブ１３で覆った照明器具であり、ひとつの光源１５に対応してグローブ１３に本発明による光フィルタ２を取り付けた例である。このような例では光フィルタ２は2つ以上ある光源１４、１５のうち、少なくともひとつの光源１５からの光のみを光フィルタリングするように光フィルタ２の配置を工夫することで、例えば光フィルタ２を取り付けていない方の光源１４の色を白色とし、日中はこの光源１４を用いて、夜間においては本発明による光フィルタ２が取り付けられているほうの例えば電球色等の色温度の低い光源１５から光を供給する、というような使用方法をとることができる。また例えば光フィルタ２を取り付けていないほうの光源１４を高出力・高色温度のものにすると、特許文献３（特願2004-128465）のように、午前中は高色温度の光源を用いて効果的に生体リズムを調整し、昼間は両方の光を混色して白色とし、夜間においては本発明による光フィルタが取り付けられているほうの光源から光を供給するというような使用方法をとることができる。またこの例の場合も，図22で示したように、本発明による光フィルタ２を取り外し可能なようにしてもよいし，本発明による光フィルタ２のさらに外側に乳白色やプリズム12のような拡散板を配置してもよい。図24-Ｂのように光源14もしくは15の周りに光フィルタ2を取り付け、グローブ13は別途設けてもよい。光源１４は白色等の色の光源でもよく、光源１５は電球色等の色温度の低い光源でもよい。
【００８６】
図26は、ダウンライト型の器具１６に本発明による光フィルタ２を取り付けた例である。またこれ以外にブラケット型の器具に本発明による光フィルタを取り付けても良い。図22で示したように、本発明による光フィルタ２を取り外し可能なようにしてもよいし、本発明による光フィルタ２のさらに外側に乳白色やプリズム12のような拡散板を配置してもよい。ランプは特に限定せず、蛍光灯、無電極蛍光灯、白熱電球等が含まれる。
【００８７】
図２７は、オフィスや病院などに設置するベースライト１８に本発明による光フィルタ２を取り付けた例である。図にあるように複数灯取り付けるタイプのものであればその一部の光源からの光を光フィルタリングするように光フィルタ２を取り付けて特許文献３（特願2004-128465）のように時間帯により切り替えても良いし、すべてに光フィルタ２を取り付けても良い。図22で示したように、本発明による光フィルタ２を取り外し可能なようにしてもよいし、本発明による光フィルタ２のさらに外側に乳白色やプリズム12のような拡散板を配置してもよい。またランプは図26の場合と同様に特に限定しない。
【００８８】
図28は光源を本発明によるフィルタによって直接覆った場合である。光源17に直接取り付けても良いし、図28-Ａのように、シリンダー状にして取り替え取り外しが容易なようにしても良い。また、図28-Ｂのように、光源17の周囲すべてをフィルタで覆うのではなく、一部が開口となっていてもかまわない。また、ランプの形状は直管型のランプに限定せず、図28-Ｃにあるように電球型の形状のものや、図28-Ｄのように丸管型の形状のものなど、形状に左右されず、本発明による光フィルタ2で覆うようにしても良い。また図にあるように、光源を覆うようにしてもよいし、光源に直接取り付ける（貼り付ける）ようにしてもよい。こうすることで照明器具に限定されずに、本発明を利用することができる。またランプは図26の場合と同様に特に限定しない。
【００８９】
図29は、上記までの照明器具への応用以外の例として、図（ａ）のサングラス２０や図（ｂ）のゴーグル２１に本発明による光フィルタ２を取り付けたものである。このようにサングラス２０やゴーグル２１に取り付けることで、周囲の照明環境に関係なく、メラトニンを抑制する光を低減することができる。
【００９０】
図30は、テレビやパソコンのディスプレイ２２等に本発明による光フィルタ２を取り付けた例である。こういったディスプレイは自発光しており、夜間においてテレビを視聴したりVDT作業をすることにより、メラトニンの分泌が抑制されることが懸念される。そこで、本発明による光フィルタ２を取り付けることによりこれを防ぐことができる。
【実施例】
【００９１】
以下、実施例により本発明を更に詳細に説明するが、本発明はこれらの例に何ら限定されるものではない。
【００９２】
（ａ）透光性樹脂と、（ｂ）橙色系蛍光着色材料とをタンブラーにて混合した（（ｂ）紫外線吸収剤や（ｃ）黄色系着色材料を同時に混合する場合も同様の方法で実施）。これらをシリンダ径φ４７ｍｍ、Ｌ／Ｄ３１．５の同方向回転ニ軸押出機で、温度条件２３０℃にて混練溶融し、ストランドバスで水冷後、カッターにて切断しペレットを得た。この後、上記ペレットをシリンダー径φ６５ｍｍの単軸押出機で、温度条件２４０℃にて溶融し、Ｔダイから押出し、幅４００ｍｍ、厚さ１．０ｍｍのシートを得た。このシートをφ３００ｍｍのサイズに切断し、スタンド用照明カバーを得た。
【００９３】
（ａ）成分である透光性樹脂には、アクリペットＶＨ００１（三菱レイヨン株式会社製、アクリル系樹脂の商品名）、（ｂ）成分である橙色系蛍光着色材料にはプラストオレンジ８１６０（有本化学工業株式会社製、ペリレン系化合物の商品名）、（ｃ）成分である波長３３０〜４００ｎｍに吸収ピークを有する紫外線吸収剤にはチヌビン３２６（チバ・スペシャルティ・ケミカルズ株式会社製、クロロベンゾトリアゾール系紫外線吸収剤の商品名）、ユビナール３０５０（ビーエーエスエフジャパン株式会社製、ヒドロキシベンゾフェノン系紫外線吸収剤の商品名）、(ｄ)成分である黄色系着色材料にはクロモフタルイエローＧＲ（チバ・スペシャルティ・ケミカルズ株式会社製、縮合アゾ系化合物の商品名）を用いた。
【００９４】
実施例における試験・評価方法は以下の通りである。
【００９５】
［1］480〜505ｎｍの全光線透過率の平均値
日立社製自記分光光度計 Ｕ−４０００により5nm間隔で測定し、波長480〜505ｎｍの透過率の平均値を測定データとした。
【００９６】
［2］Duv
光フィルタを市販の照明器具（松下電工製 SC350）に取り付け、光源を電球色蛍光灯(松下電器産業照明社製 ツインPa40W)とし、浜松ホトニクス社製分光検出器PMA-11にて発光光の分光分布を測定しその値に基づきDuvをJIS Z8725に基づき求め、それぞれの値を以下の基準に基づき、◎、○、△、×で判定した。
【００９７】
判定基準は、◎…±1以内、○…±3以内、△…±3より大きく、±5以下、×…±5より大きいもしくは測定不能、である。
【００９８】
[3]相関色温度
上記[2]と同様の方法で発光光の分光分布を測定し、相関色温度をJIS Z8725に基づき求め、その値を測定値とした。なお、相関色温度が1560Kを下回る場合、JIS Z8725付表1及び2から光の相関色温度としては低すぎると判断し、「<1560」と標記し、測定項目[2]Duv及び、[4]平均演色評価指数も求めていない。
【００９９】
[4] 平均演色評価指数
上記[2]と同様の方法で発光光の分光分布を測定し、平均演色評価指数をJIS Z8726に基づき求め、その値を測定値とした。
【０１００】
[5] メラトニン抑制照度効率
上記[2]と同様の方法で発光光の分光分布を測定し、図1のアクションスペクトラムをB(λ)とし、標準視感効率をV(λ)、光フィルタを通した透過光の分光分布をS (λ)、もとの光源（この場合は電球色蛍光灯）の分光分布をSwhite(λ)として、以下のようにメラトニン抑制照度効率ｍとして、数１の式により、計算した。
【０１０１】
この式によるメラトニン抑制照度効率mは、もとの光源において、E[lx]でメラトニンの分泌を抑制したとすると、光フィルタを通した透過光では、同じだけのメラトニン分泌の抑制を引き起こそうとすると、E/m [lx]必要であるということである。本発明の目的のひとつはメラトニンの抑制分泌の抑制を防止することであるから、1より小さく、望ましくは0に限りなく近いほうが良いことになる。そこで、以下のような判定基準により判定した。
【０１０２】
判定基準は、○…0.5未満、△…0.5以上0.75未満、×…0.75以上、である。
【０１０３】
[6] (c)成分もしくは(d)成分を配合したことによるメラトニン抑制照度効率への効果
(c)成分もしくは(d)成分は、これらを配合することによって照明の色を良好に保ちつつ、さらにメラトニンの抑制を防止することを目的としている。そのため、(c)成分もしくは(d)成分が配合されているものは、(a)及び(b)成分のみのものと比べて、(c)成分もしくは(d)成分を配合したことによりメラトニン抑制照度効率ｍがさらに低下したかを以下の基準により評価した。
【０１０４】
判定基準は、○…(a)及び(b)成分のみで(a)及び(b)成分の配合量が同じものと比べて、メラトニン抑制照度効率が低下、
×…(a)及び(b)成分のみで(a)及び(b)成分の配合量が同じものと比べて、メラトニン抑制照度効率が同じもしくは上昇、とした。
【０１０５】
表１に本発明による実施例と比較例を示す。
【０１０６】
【表１】
2006259079.tif 000003
【図面の簡単な説明】
【０１０７】
【図１】メラトニンのアクションスペクトラムである。
【図２】各種光源の相対分光分布図である。
【図３】ｘｙ色度図である。
【図４】ｘ、ｙ、ｚの等色関数を示す図である。
【図５】黄色ゼラチンフィルムの透過率を示す図である。
【図６】電球色蛍光灯と白熱灯に図５のフィルタを付けたときの色度座標図である。
【図７】電球色蛍光灯に関する色度推移を示す図である。
【図８】白熱灯に関する色度推移を示す図である。
【図９】高演色型電球色蛍光灯に関する色度推移を示す図である。
【図１０】ＨＩＤランプに関する色度推移を示す図である。
【図１１】電球色蛍光灯の各波長成分を変化させ、Ｄｕｖの絶対値が５以内、色温度２６００Ｋ以上、同一照度でのメラトニンの抑制照度効率が１／２以下となる透過率を示す図である。
【図１２】電球色蛍光灯の各波長成分を変化させ、Ｄｕｖの絶対値が５以内、色温度２０００Ｋ以上、同一照度でのメラトニンの抑制効率が１／３以下となる透過率を示す図である。
【図１３】電球色蛍光灯の分光分布と、等色関数もしくはアクションスペクトラムを掛け合わせた相対強度図である。
【図１４】電球色蛍光灯の波長４３０〜４４５ｎｍのエネルギーを減衰させたとの色度推移図である。
【図１５】電球色蛍光灯の波長５３０〜５６５ｎｍのエネルギーを減衰させたとの色度推移図である。
【図１６】電球色蛍光灯の波長４３０〜４４５ｎｍの透過率を５０％以下としたときに、Ｄｕｖの絶対値が５以下となるように波長５３０〜５６５ｎｍの透過率を変化させたときの関係図である。
【図１７】光フィルタの透過率を示す図である。
【図１８】透光性樹脂と橙色系蛍光着色材料によって構成された光フィルタの透過率を示す図である。
【図１９】光フィルタの透過率を示す図である。
【図２０】透光性樹脂と橙色系蛍光着色材料と黄色系着色材料によって構成された光フィルタの透過率を示す図である。
【図２１】各種照明装置を示す図である。
【図２２】（Ａ）〜 （Ｃ）はフィルタの収納可能な構成を示す図、（Ｄ）はフィルタに拡散板を重ねた照明装置を示す断面図である。
【図２３】スタンドの側面図である。
【図２４】シーリング型照明器具の斜視図である。
【図２５】複数の光源を有する場合のシーリング型照明器具の斜視図である。
【図２６】ダウンライト型照明器具の斜視図である。
【図２７】ベースライトの斜視図である。
【図２８】直管ランプ等の斜視図である。
【図２９】（ａ）はサングラスの斜視図、（ｂ）はゴーグルの斜視図である。
【図３０】ディスプレイの斜視図である。
【符号の説明】
【０１０８】
１    光源
２    フィルタ
【図１】
2006259079.tif 000004
【図２】
2006259079.tif 000005
【図３】
2006259079.tif 000006
【図４】
2006259079.tif 000007
【図５】
2006259079.tif 000008
【図６】
2006259079.tif 000009
【図７】
2006259079.tif 000010
【図８】
2006259079.tif 000011
【図９】
2006259079.tif 000012
【図１０】
2006259079.tif 000013
【図１１】
2006259079.tif 000014
【図１２】
2006259079.tif 000015
【図１３】
2006259079.tif 000016
【図１４】
2006259079.tif 000017
【図１５】
2006259079.tif 000018
【図１６】
2006259079.tif 000019
【図１７】
2006259079.tif 000020
【図１８】
2006259079.tif 000021
【図１９】
2006259079.tif 000022
【図２０】
2006259079.tif 000023
【図２１】
2006259079.tif 000024
【図２２】
2006259079.tif 000025
【図２３】
2006259079.tif 000026
【図２４】
2006259079.tif 000027
【図２５】
2006259079.tif 000028
【図２６】
2006259079.tif 000029
【図２７】
2006259079.tif 000030
【図２８】
2006259079.tif 000031
【図２９】
2006259079.tif 000032
【図３０】
2006259079.tif 000033